(57)【要約】      （修正有）【課題】シャワーノズルから洗浄水を噴射させて局部等を洗浄している際に、その利用者の体格に拘わらず、その飛散水が人体と便座１３との隙間から飛び出して背中や衣服等に付着してしまうことを抑制することができる便器用衛生補助器具を提供する。【解決手段】便座１３を挟持する支持部と、支持部に回動可能に支持され且つ常時は前方上向きに傾斜された人体当接プレートとを備えて便器用衛生補助器具２０を構成する。該人体当接プレートは常時は前方上向きに傾斜された待機位置で位置決めすると共に利用者が便座１３に座した際にはその体格に応じた人体当接プレートの回動変位を許容し且つ利用者に当接するように付勢設定された付勢部材を備えている。【選択図】図１
0003148697.tif 000002
【実用新案登録請求の範囲】
【請求項１】
局部洗浄装置を備えた便器の便座に着脱可能に装着される便器用衛生補助器具であって、
前記便座を挟持する支持部と、該支持部に回動可能に支持され且つ常時は前方上向きに傾斜された人体当接プレートと、該人体当接プレートを常時は前方上向きに傾斜された待機位置で位置決めすると共に利用者が前記便座に座した際にはその体格に応じた前記人体当接プレートの回動変位を許容し且つ利用者に当接するように付勢設定された付勢部材と、を備えていることを特徴とする便器用衛生補助器具。
【請求項２】
前記付勢部材は、常時は前記人体当接プレートを待機位置で停止させ、前記便器本体に回動可能に装着された蓋体によって前記便器本体の上方開口を閉成している際には前記人体当接プレートを前記蓋体による閉成位置にまで付勢に抗して回動させ、前記便座に利用者が腰掛けている際には前記人体当接プレートを利用者に当接させるように、屈曲された板バネ部材であることを特徴とする請求項１に記載の便器用衛生補助器具。
【請求項３】
前記支持部には、便器本体内に臨むように垂れ下がるカーテン部材が設けられていることを特徴とする請求項１又は請求項２に記載の便器用衛生補助器具。
【考案の詳細な説明】
【技術分野】
【０００１】
本考案は、排便後等にシャワーノズルから噴射された洗浄水によって局部洗浄を行うことができる局部洗浄装置を備えた便器本体の便座に着脱可能に装着される便器用衛生補助器具に関する。
【背景技術】
【０００２】
従来から、排便後等にシャワーノズルから噴射された洗浄水によって局部洗浄を行うことができる局部洗浄装置は、排便後等の局部の衛生面等において優れているため、近年多く普及するに至っている。
【０００３】
図６はこのような局部洗浄装置を備えた便器の斜視図、図７はその要部の拡大断面図である。
【０００４】
図６において、便器１は、上方に向けた拡開状態で開放する陶器等からなる便器本体２と、便器本体２の上方後部に回動可能に軸支されて便器本体２の上縁部に当接した略水平に倒伏した使用状態と上向きに起立した非使用状態とに状態変更可能な環状（又は略Ｕ字状）の便座３と、便座３とは独立して便器本体２の上方後部に回動可能に軸支されて便座３の上方から便器本体２の開放端を閉成する使用状態と上向きに起立した非使用状態とに状態変更可能な蓋体４と、便器本体２の側方に隣接設置された洗浄制御装置５と、便器本体２の上方寄り後部から前方斜め下向きに出没可能に設置されて先端付近から温水等の洗浄水を噴射するシャワーノズル６と、を備えている。
【０００５】
このような構成において、局部洗浄時には、便座３に腰掛けたままの状態で洗浄制御装置５に設けられた操作スイッチ（臀部洗浄用）を操作することにより、所要の制御手段が作動して洗浄用のシャワーノズル６が突出し、その先端が洗浄しようとする局部近傍の下方まで進出する。尚、この進出の際には、シャワーノズル６の先端（吐出口）が汚れないように作動当初から洗浄水か漏れ出る程度の弱い噴射力で吐出されるようになっているのが一般的である。
【０００６】
一方、シャワーノズル６の吐出口の進出位置は、大人の平均的な体格等を考慮して設定されており、多くは固定的である。また、便座３の開口の大きさも大人の平均的な体格等を考慮して設定されている。
【０００７】
このため、利用者が通常に便座３に腰掛けた際に便座３の基部側、言い換えれば腰掛けた際に背中側となる便座３の開口縁部と臀部との間に個人差によって間隔が異なる隙間ができることがある。
【０００８】
尚、この隙間は、利用者が通常に便座３に腰掛けた際に、便座３の基部側と臀部との間に隙間ができなくとも、局部洗浄時に噴射される洗浄水が局部の所望位置に適宜当たるよう利用者自身が動いたときにも隙間ができることもある。
【０００９】
従って、このような個人差によって間隔が異なって発生した隙間は、シャワーノズル６から噴射する洗浄水の噴射圧力（利用者によって設定変更可能）にもよるが、洗浄水の直接飛散或いは臀部に当たった跳ね返り飛散によって便座３の表面（座面）・蓋体４の閉成時裏面（開放時表面）・利用者の背中や衣服等に付着することがある。
【００１０】
尚、シャワーノズル６から洗浄水が噴射されている洗浄中に利用者自身が洗浄位置を変更するために動いた場合においても、上述した洗浄水の直接飛散或いは臀部に当たった跳ね返り飛散によって便座３の表面・蓋体４の閉成時裏面（開放時表面）・利用者の背中等に付着することがある。
【００１１】
このような洗浄水の直接飛散或いは跳ね返り飛散は、便座３或いは利用者の背中や衣服等に付着したまま放置すると、汚れとなってしまい、利用者や次の利用者等に不決感を与えたり、雑菌が繁殖したりする虞があった。
【００１２】
そこで、このような洗浄水の直接飛散或いは跳ね返り飛散を抑制するため、便座３の後方縁部から前方に突出した庇状の水返しを形成することが考えられている（例えば、特許文献１参照）。
【００１３】
尚、便座３に着脱可能に装着される補助器具として、排便時における臀部への水跳ねを抑制する器具（例えば、特許文献２参照）や、小便時の便器外への飛散や漏出を抑制する受け板等の各種補助器具が知られているが、これらは便器内側に臨むことによって目的を達成するもので、排便後等の局部洗浄時にシャワーノズルから噴射された洗浄水の一部が水跳ねして利用者等への付着を抑制するものではない。
【特許文献１】特開平０９−２５３００２号公報
【特許文献２】実用新案登録第３０３６６９３号公報
【特許文献３】特開２００１−１０７４１８号公報
【考案の開示】
【考案が解決しようとする課題】
【００１４】
ところが、上記の如く構成された水返しは、便座３に一体に形成され、その突出量も固定であるため、例えば、図７に示すように、利用者が平均的な体格とされる大人Ｐ１の場合には、上述した隙間Ｗ１が小さいために、利用者の背中や衣服等に飛散した洗浄水が付着することは稀であるものの、利用者が体格の小さい子供Ｐ２等であった場合、その隙間Ｗ２も広くなってしまうため、その体格の小さい利用者の背中や衣服等に飛散した洗浄水が付着し易く、不快且つ不衛生であるという問題は依然として発生していた。
【００１５】
そこで、本考案は、上記事情を考慮し、シャワーノズルから洗浄水を噴射させて局部等を洗浄している際に、その利用者の体格に拘わらず、その飛散水が人体と便座との隙間から飛び出して背中や衣服等に付着してしまうことを抑制することができる便器用衛生補助器具を提供することを目的とする。
【課題を解決するための手段】
【００１６】
本考案の便器用衛生補助器具は、局部洗浄装置を備えた便器本体に回動可能に設置の便座に着脱可能に装着される便器用衛生補助器具であって、前記便座を挟持する支持部と、該支持部に回動可能に支持され且つ常時は前方上向きに傾斜された人体当接プレートと、該人体当接プレートを常時は前方上向きに傾斜された待機位置で位置決めすると共に利用者が前記便座に座した際にはその体格に応じた前記人体当接プレートの回動変位を許容し且つ利用者に当接するように付勢設定された付勢部材と、を備えていることを特徴とする。
【００１７】
この際、前記付勢部材は、常時は前記人体当接プレートを待機位置で停止させ、前記便器本体に回動可能に装着された蓋体によって前記便器本体の上方開口を閉成している際には前記人体当接プレートを前記蓋体による閉成位置にまで付勢に抗して回動させ、前記便座に利用者が腰掛けている際には前記人体当接プレートを利用者に当接させるように、屈曲された板バネ部材であるのが好ましい。
【００１８】
また、前記支持部には、便器本体内に臨むように垂れ下がるカーテン部材が設けられているのが好ましい。
【考案の効果】
【００１９】
本考案の便器用衛生補助器具は、シャワーノズルから洗浄水を噴射させて局部等を洗浄している際に、その利用者の体格に拘わらず、その飛散水が人体と便座との隙間から飛び出して背中や衣服等に付着してしまうことを抑制することができる。
【考案を実施するための最良の形態】
【００２０】
次に、本考案の一実施形態に係る便器用衛生補助器具について、図面を参照して説明する。
【００２１】
図１は本考案の一実施形態に係る便器用衛生補助器具を装着した状態の局部洗浄装置を備えた便器の斜視図、図２は本考案の一実施形態に係る便器用衛生補助器具の要部の断面図、図３は本考案の一実施形態に係る便器用衛生補助器具の要部の拡大断面図、図４は本考案の一実施形態に係る便器用衛生補助器具の要部の正面図である。
【００２２】
図１において、便器１１は、上方に向けた拡開状態で開放する陶器等からなる便器本体１２と、便器本体１２の上方後部に回動可能に軸支されて便器本体１２の上縁部に当接した略水平に倒伏した使用状態と上向きに起立した非使用状態とに状態変更可能な環状（又は略Ｕ字状）の便座１３と、便座１３とは独立して便器本体１２の上方後部に回動可能に軸支されて便座１３の上方から便器本体１２の開放端を閉成する使用状態と上向きに起立した非使用状態とに状態変更可能な蓋体１４と、便器本体１２の側方に隣接設置された洗浄制御装置１５と、便器本体１２の上方寄り後部から前方斜め下向きに出没可能に設置されて先端付近から洗浄水等の洗浄水を噴射するシャワーノズル１６と、便座１３に着脱可能に装着される便器用衛生補助器具２０と、を備えている。
【００２３】
便器用衛生補助器具２０は、図２及び図３に示すように、便座１３を挟持する支持部２１と、支持部２１に回動可能に支持され且つ常時は前方上向きに傾斜された人体当接プレート２２と、人体当接プレート２２を常時は前方上向きに傾斜された待機位置で位置決めすると共に利用者が便座１３に座した際にはその体格に応じた人体当接プレート２２の回動変位を許容し且つ利用者に当接するように付勢設定された付勢部材２３と、を備えている。
【００２４】
支持部２１は、便座１３の裏面（底面）側に位置する裏面側支持部２４と、便座１３の表面（座面）側に位置する座面側支持部２５と、この座面側支持部２５を回動可能に裏面側支持部２４に保持させる支持軸２６と、支持軸２６に巻回されて両端が各支持部２４，２５に当接し且つ座面側支持部２５を裏面側支持部２４に向けて接近方向に付勢するコイルスプリング２７と、便器本体１２の内部に臨むように垂れ下がるカーテン部材２８と、を備えている。
【００２５】
尚、裏面側支持部２４と座面側支持部２５とは、その材質等は特に限定されないが、比較的強度を備え且つ摩擦抵抗の少ない樹脂等が望ましい。この際、座面側支持部２５の裏面側（座面対向面側）にスポンジ等のクッション体を貼り付けることにより、支持部２１の抜け方向に傾斜した座面に対する滑り止め効果を確保しても良い。また、図４に示すように、裏面側支持部２４と座面側支持部２５とは、互いに接近方向に弾性を有する樹脂の一体成形品として、支持軸２６及びコイルスプリング２７を廃止しても良い。また、裏面側支持部２４又は座面側支持部２５の少なくとも一方の先端に、便座１３の外周壁面と係合することによって支持部２１を抜け止めするフック部等を形成しても良い。さらに、座面側支持部２５を裏面側支持部２４に向けて接近方向に付勢する付勢手段としては、コイルスプリング２７に限定されるものではない。
【００２６】
人体当接プレート２２は、図５に示すように、その両端に裏面側支持部２４に形成されたプレート支持部２４ａの内壁面と係合する軸部２２ａを備えている。また、人体当接プレート２２は、その前方側縁部を凹陥させることで人体背面（背中）に沿って当接するように加工が施されている。尚、この凹陥部分の壁面にスポンジ等のクッション体を貼り付け、人体への密着性と衝撃緩和を確保するようにしても良い。また、人体当接プレート２２の材質等は、特に限定されないが、比較的強度を有する樹脂等が望ましい。この際、人体当接プレート２２の少なくとも裏面側（便器内部側）に、撥水性のコーティング剤（例えば、シリコン樹脂又はフッ素樹脂）による表面処理を施すのが望ましい。さらに、人体当接プレート２２の幅や長さ、或いは、傾斜角度、形状（例えば、平板形状又は屈曲形状）等は任意である。
【００２７】
付勢部材２３には、常時は人体当接プレート２２を待機位置（図２の実線位置）で停止させ、便器本体１２に回動可能に装着された蓋体１４によって便器本体１２の上方開口を閉成している際には人体当接プレート２２を蓋体１４による閉成位置にまで付勢に抗して回動させ、便座１３に利用者が腰掛けている際には人体当接プレート２２を利用者Ｐ１，Ｐ２に付勢状態で当接させるように、裏面側支持部２４と座面側支持部２５とに跨り且つその境界付近で屈曲された板バネ部材が用いられている。
【００２８】
尚、付勢部材２３は、例えば、常時は人体当接プレート２２を待機位置（図２の実線位置）で停止させるように人体当接プレート２２を上向きに付勢した第１のコイルスプリングと、この第１のコイルスプリングよりも強い不勢力を第１のコイルスプリングとは逆側に向けて備え且つ人体当接プレート２２を待機位置以上に上向き傾斜した際に付勢力を発揮して利用者Ｐ１，Ｐ２に対する人体当接プレート２２の当接状態を確保した第２のコイルスプリングと、で構成するなど、板バネ部材に限定されるものではない。また、付勢部材２３の屈曲角度や形状（例えば、コイルスプリング状等）等も限定されるものではない。
【００２９】
カーテン部材２８は、ナイロン等の薄く且つ撥水性を備えたものが用いられ、シャワーノズル１６の先端から噴射された洗浄水の一部が支持部２１側に飛散するのを防止する機能を備えている。尚、カーテン部材２８の材質・幅・長さ（垂れ下がり長）等は任意である。また、カーテン部材２８の表面に、撥水性のコーティング剤（例えば、シリコン樹脂又はフッ素樹脂）による表面処理を施しても良い。
【００３０】
上記の構成において、利用者Ｐ１，Ｐ２は、蓋体１４を開放して使用する際には、人体当接プレート２２がやや上向き傾斜した待機位置にあるため、便座１３に腰掛ける際には、便座１３の前方側から深く腰掛けるように移動する。
【００３１】
そして、人体当接プレート２２の先端に人体が当接すると、その上向き傾斜によって利用者Ｐ１，Ｐ２のさらなる移動に伴って付勢部材２３の付勢に抗して人体当接プレート２２がさらに上向きとなり、利用者Ｐ１，Ｐ２の体格に応じた所望の位置で腰掛け位置を停止すると、人体当接プレート２２もその停止位置で利用者Ｐ１，Ｐ２に弾接状態を維持し、便座１３と利用者Ｐ１，Ｐ２との隙間を塞ぐことができる。
【００３２】
この状態で、局部洗浄を行う場合には、便座１３に腰掛けたままの状態で洗浄制御装置１５に設けられた操作スイッチ（臀部洗浄用）を操作することにより、所要の制御手段が作動して洗浄用のシャワーノズル１６が突出し、その先端が洗浄しようとする局部近傍の下方まで進出する。尚、この進出の際には、シャワーノズル１６の先端（吐出口）が汚れないように作動当初から洗浄水が漏れ出る程度の弱い噴射力で吐出されるようになっている。
【００３３】
この後、シャワーノズル１６の先端から洗浄水が噴射され、その洗浄水によって局部を洗浄することができる。
【００３４】
この際、洗浄水の噴射圧力（利用者によって設定変更可能）にもよるが、洗浄水の直接飛散或いは臀部に当たった跳ね返り飛散が発生すると、その飛散水は、人体当接プレート２２の裏面に付着し、便座１３の表面や蓋体１４の裏面（開放時表面）或いは利用者Ｐ１，Ｐ２の背中や衣服等に付着することが抑制される。
【００３５】
尚、シャワーノズル１６から洗浄水が噴射されている洗浄中に、利用者Ｐ１，Ｐ２が洗浄位置を変更するために動いた場合においても、人体当接プレート２２がその動きに追従するため、洗浄水の直接飛散或いは臀部に当たった跳ね返り飛散によって便座１３の表面・蓋体１４の裏面（開放時表面）・利用者の背中等に付着することも抑制することができる。
【００３６】
従って、このような洗浄水の直接飛散或いは跳ね返り飛散が抑制されることから、便座１３或いは利用者Ｐ１，Ｐ２の背中や衣服等に汚れが発生せず、利用者や次の利用者等に不決感を与えたり、雑菌が繁殖したりすることも抑制することができる。
【００３７】
ところで、洗浄水の直接飛散或いは跳ね返り飛散が抑制されることから、例えば、便座１３に便座カバーを取り付けていても、その便座カバーの座面側が濡れることが抑制されるため、便座１３に腰を下ろした時の水滴付着による冷たい不快感が無く、しかも、便座１３の電気暖房使用期間の短縮化並びに省エネ化を実現することができる。
【００３８】
さらに、子供が使用した後でも便座１３等が汚れていないので、後からの利用者も安心して使用することができる。
【図面の簡単な説明】
【００３９】
【図１】本考案の一実施形態に係る便器用衛生補助器具を装着した状態の局部洗浄装置を備えた便器の斜視図である。
【図２】本考案の一実施形態に係る便器用衛生補助器具の要部の断面図である。
【図３】本考案の一実施形態に係る便器用衛生補助器具の要部の拡大断面図である。
【図４】本考案の一実施形態に係る便器用衛生補助器具の要部の正面図である。
【図５】本考案の一実施形態に係る便器用衛生補助器具の変形例の要部の正面図である。
【図６】従来の局部洗浄装置を備えた便器の斜視図である。
【図７】従来の局部洗浄装置を備えた便器の要部の拡大断面図である。
【符号の説明】
【００４０】
１１…便器
１２…便器本体
１３…便座
１４…蓋体
１５…洗浄制御装置
１６…シャワーノズル
２０…便器用衛生補助器具
２１…支持部
２２…人体当接プレート
２３…付勢部材
２８…カーテン部材
【図１】
0003148697.tif 000003
【図２】
0003148697.tif 000004
【図３】
0003148697.tif 000005
【図４】
0003148697.tif 000006
【図５】
0003148697.tif 000007
【図６】
0003148697.tif 000008
【図７】
0003148697.tif 000009